(57)【要約】      （修正有）【課題】梱包用資材として利用される気泡緩衝材を断熱材として利用することにより、安価にもかかわらず、画期的な断熱効果が得られる建築物用断熱材を提供する。【解決手段】建築物用断熱材を、気泡緩衝材１と、気泡緩衝材１を構成するエアチャンバ１２の頭部にのみ形成された粘着層２１から構成する。この建築物用断熱材の製造方法は、離型紙２２の上に接着剤を均一に塗布することにより粘着層を形成する工程と、気泡緩衝材１のエアチャンバ１２が多数分布している面と、粘着層２１とを当接させて、離型紙２２と気泡緩衝材１を貼り合わせる工程と、粘着層２１を乾燥させて、気泡緩衝材１を離型紙２２に一体に結合する工程と、気泡緩衝材１から離型紙２２を剥離することにより、エアチャンバ１２の頭部にのみ粘着層２１が塗布された状態にする工程とを備える。【選択図】図２
2014084707.tif 000002
【特許請求の範囲】
【請求項１】
ビニールシートの一方の面の全面にわたって、空気が充填されたエアチャンバが多数分布した構造を有する気泡緩衝材と、該エアチャンバの頭部にのみ形成された粘着層とを備える、建築物用断熱材。
【請求項２】
前記粘着層は、ブチルメタクリレートポリマーによって形成されている、建築物用断熱材。
【請求項３】
離型紙の上に接着剤を均一に塗布することにより粘着層を形成する工程と、
気泡緩衝材のエアチャンバが多数分布している面と、粘着層とを当接させて、離型紙と気泡緩衝材を貼り合わせる工程と、
粘着層を乾燥させて、気泡緩衝材を離型紙に一体に結合する工程と、
気泡緩衝材から離型紙を剥離することにより、エアチャンバの頭部にのみ粘着層が塗布された状態にする工程と
を備える、建築物用断熱材の製造方法。
【発明の詳細な説明】
【技術分野】
【０００１】
本発明は、梱包用資材として用いられている気泡緩衝材を利用した建築物用断熱材およびその製造方法に関する。
【背景技術】
【０００２】
建築物用断熱材としては、発泡ポリスチレンなどが用いられている。このような断熱材は、壁の内部のように外部に露出されない場所において好適に用いることができる。
【０００３】
一方、冬期には、ガラス窓を介して外部の寒気がそのまま伝わる。しかしながら、ガラス窓のように外部に露出する場所には、発泡ポリスチレンなどの断熱材を使用することができない。このため、従来、ビニールシートを用いてガラス窓の縁部を密閉する方法が採られてきたが、この方法は、設置が難しく、保温効果は低いばかりでなく、コストが高くつくという問題がある。
【発明の概要】
【発明が解決しようとする課題】
【０００４】
本発明は、上述の問題に鑑みて、梱包用資材として利用されている気泡緩衝材を断熱材として利用することにより、安価にもかかわらず、画期的な断熱効果が得られる建築物用断熱材と、その製造方法を提供することにある。
【課題を解決するための手段】
【０００５】
図１に示すように、気泡緩衝材１は、ビニールシート１１の一方の面に、空気ａが充填されたエアチャンバ１２が全面にわたって多数分布した構造を有している。このような気泡緩衝材１は、空気ａが充填されたエアチャンバ１２が、優れた緩衝機能を有するため、主として、梱包用資材の用途に用いられている。
【０００６】
しかしながら、本発明者らは、エアチャンバ１２が、前述の緩衝機能を有することに加えて、熱伝導率が低く、保温および断熱効果にも優れているという特徴を有することに着目し、このような保温および断熱機能を積極的に活用し、建築物用断熱材として用いることができるとの知見を得て、本発明を完成するに至ったものである。
【０００７】
すなわち、本発明の建築物用断熱材は、気泡緩衝材と、該気泡緩衝材を構成するエアチャンバの頭部にのみ形成された粘着層とを備えることを特徴とする。
【０００８】
前記粘着層は、ブチルメタクリレートポリマーによって形成されていることが好ましい。
【０００９】
また、本発明の建築物用断熱材の製造方法は、離型紙の上に接着剤を均一に塗布することにより粘着層を形成する工程と、気泡緩衝材のエアチャンバが多数分布している面と、粘着層とを当接させて、離型紙と気泡緩衝材を貼り合わせる工程と、粘着層を乾燥させて、気泡緩衝材を離型紙に一体に結合する工程と、気泡緩衝材から離型紙を剥離することにより、エアチャンバの頭部にのみ粘着層が塗布された状態にする工程とを備えることを特徴とする。
【発明の効果】
【００１０】
本発明によれば、一次的には、空気が充填されたエアチャンバによる保温および断熱効果が得られ、二次的には、対象物の表面と、ビニールシートとの間の密閉空間における保温および断熱効果が得られる。このため、従来のビニールシートからなる断熱材と比べて、極めて高い断熱効果が得られる。
【００１１】
また、本発明の建築物用断熱材は、従来のビニールシートより軽量で、かつ、安価であるにもかかわらず、極めて優れた断熱効果を有していることから、ガラス窓などの断熱材としても利用することができる。
【図面の簡単な説明】
【００１２】
【図１】図１は、従来の梱包用の気泡緩衝材を示す斜視図である。
【図２】図２は、本発明の建築物用断熱材の断面図である。
【図３】図３は、本発明の建築物用断熱材の製造方法を示す概略フロー図である。
【発明を実施するための形態】
【００１３】
以下、本発明の建築物用断熱材について、図面を参照しながら詳細に説明する。
【００１４】
（建築物用断熱材）
本発明の建築物用断熱材は、ビニールシートの一方の面の全面にわたって、空気が充填されたエアチャンバが多数分布した構造を有する気泡緩衝材と、該エアチャンバの頭部にのみ形成された粘着層とを備えることを特徴とする。
【００１５】
前記気泡緩衝材としては、一般的に梱包用資材として使用されているものを使用することができる。たとえば、図１に示すように、ビニールシート１１の一方の面の全面にわたって、空気ａが充填されたエアチャンバ１２が多数分布した構造を有する気泡緩衝材１を使用することができる。
【００１６】
また、粘着層２１は、気泡緩衝材１を構成するエアチャンバ１２の頭部のみに形成されている。これにより、本発明の建築物用断熱材は、ガラス窓などの対象物３に対して、取り付けやすいという効果が得られる。
【００１７】
このような粘着層２１は、離型紙２２から剥離しやすく、かつ、対象物３に対しては粘着性に優れていることが求められるため、たとえば、ブチルメタクリレートポリマーから形成されることが好ましい。
【００１８】
なお、本発明の建築物用断熱材は、対象物３に取り付ける以前においては、粘着層２１を介して、離型紙２２に貼り付けられていることが好ましい。
【００１９】
（建築物用断熱材の製造方法）
次に、本発明の建築物用断熱材の製造方法について、説明をする。
【００２０】
図３は、本発明の建築物用断熱材の製造方法を示す概略フロー図である。この方法は、（１）離型紙２２の上に接着剤を均一に塗布することにより粘着層２１を形成する工程と、（２）気泡緩衝材１のエアチャンバ１２が多数分布している面と、粘着層２１とを当接させて、離型紙２２と気泡緩衝材１を貼り合わせる工程と、（３）粘着層２１を乾燥させて、気泡緩衝材１を離型紙２２に一体に結合する工程と、（４）気泡緩衝材１から離型紙２２を剥離することにより、エアチャンバ１２の頭部にのみ粘着層２１が塗布された状態にする工程とを備えることを特徴とする。
【００２１】
（建築物用断熱材の使用方法）
このようにして得られた建築物用断熱材１は、ガラス窓、壁などの対象物３に貼り付けて使用される。
【００２２】
最初に、本発明の建築物用断熱材１を貼り付けたい場所の表面から、埃や油垢などをふき取る。その後、本発明の建築物用断熱材１から離型紙２２を剥離しながら、粘着層２１をガラス窓などの対象物３に貼り付ける。
【００２３】
（効果）
本発明の建築物用断熱材は、主として気泡緩衝材により構成されており、非常に軽量であるため、粘着層２１の接着力だけでも強固な貼着状態を維持することができる。また、この気泡緩衝材は、非常に薄くて柔らかな材質であり、しかも、粘着層２１はエアチャンバ１２の頭部にのみ形成されているため、凹凸形状を有する対象物に対しても、自由に貼り付けることができる。
【００２４】
また、本発明の建築物用断熱材は、ガラス窓などの被粘着部３に貼り付けられた場合に、一次的には、エアチャンバ１２による保温および断熱効果が、二次的には、対象物３の表面とビニールシート１１との間の密閉空間における保温および断熱効果が得られるので、非常に高い保温および断熱効果を得ることができる。
【符号の説明】
【００２５】
１  気泡緩衝材
３  被粘着部
１１  ビニールシート
１２  エアチャンバ
２１  粘着層
２２  離型紙
ａ  空気
【図１】
2014084707.tif 000003
【図２】
2014084707.tif 000004
【図３】
2014084707.tif 000005